(57)【要約】【課題】  上蓋又は底蓋の密閉性が高く、かつ、強度的に優れ、平面的に折り畳んだ後であっても無闇に拡がらず、搬送し易くした組立式輸送箱を提供する。【解決手段】  上下にそれぞれ連設された蓋片及び底片を有する側面部を複数環状に連接して枠状体を形成する。この蓋片及び底片の外側面に二つの部材が互いに係合することで合体する脱着自在な係止部材の何れか一方を取り付けると共に、蓋片及び底片の内側面に係止部材の他方を取り付ける。また、側面部の蓋片連接側端縁部又は底片連接側端縁部に、蓋片または底片の外側面に取り付けた係止部材と同じ係止部材を取り付けて箱本体とする。そして、箱本体の蓋片又は底片の外側面に取り付けた係止部材と係合可能な係止部材を帯状に形成した帯状係止部材を用いて、枠状体の内側に向って折曲された蓋片または底片を係止し、立体的な箱状容器を形成する。さらに、この帯状係止部材を用いて、平面的に折り畳んだ後の箱本体を維持する。【選択図】図１
0003107341.tif 000002
【実用新案登録請求の範囲】
【請求項１】
複数の側面部を環状に連接することにより枠状体を形成し、かつ、その各側面部の上下にそれぞれ連設された蓋片及び底片を互いに対向する片同士一緒に枠状体の内側に向って折曲することにより立体的な箱状容器となると共に、上記蓋片及び底片を展開したまま隣接する何れか一方の側面部同士重なるように合わせることで平面的に折り畳まれる組立式の輸送箱であって、
上記蓋片及び底片の外側面に、二つの部材が互いに係合することで合体する脱着自在な係止部材の何れか一方を取り付けると共に、上記蓋片及び底片の内側面に、上記係止部材の他方を取り付け、さらに、上記側面部の前記蓋片連接側端縁部または底片連接側端縁部に、上記蓋片または底片の外側面に取り付けた係止部材と同じ係止部材を取り付けた箱本体と、
上記箱本体の蓋片または底片の外側面に取り付けた係止部材と係合可能な係止部材を帯状に形成した帯状係止部材と
からなることを特徴とする組立式輸送箱。
【請求項２】
前記係止部材は、蓋片または底片の端縁部に沿ってそれぞれ取り付けられていることを特徴とする請求項１記載の組立式輸送箱。
【請求項３】
前記帯状係止部材は、対向する蓋片または底片同士一緒に枠状体の内側に向って折曲した際、互いに隣接することとなる上記蓋片または底片の外側端縁部同士を一体的に係止するものであることを特徴とする請求項１または２に記載の組立式輸送箱。
【請求項４】
前記帯状係止部材は、隣接する一方の蓋片または底片の端縁部と、他方の蓋片または底片を連接する側面部の連接側端縁部とを一体的に係止するものであることを特徴とする請求項１または２記載の組立式輸送箱。
【請求項５】
前記帯状係止部材の一部が、前記箱本体に固着されていることを特徴とする請求項１から４の何れかに記載の組立式輸送箱。
【請求項６】
前記箱本体を平面的に折り畳んだ際、重なるように合わさる一方の側面部に前記帯状係止部材の一端を固着し、他方の側面部に上記帯状係止部材の他端と係合可能な係止部材を取り付けたことを特徴とする請求項１から５の何れかに記載の組立式輸送箱。
【考案の詳細な説明】
【技術分野】
【０００１】
本考案は、種々の物品を入れることができる箱状の容器に係り、詳しくは、未使用時には平面的に折り畳まれ、使用時には立体的な箱状にすることができる組立式輸送箱に関するものである。
【背景技術】
【０００２】
従来、引越し等で物品を収納運搬する場合、段ボール箱が使用されている。この段ボール箱は、波形に形成した中芯紙の両面或いは片面に平らなライナーを張り付けた段ボール紙を用いて箱状に組み立てたものであって、軽量かつ比較的高強度であるため、未使用状態では嵩張らず、保管や運搬がし易いように平面的に折り畳まれ、一方、使用時には拡げて組み立てることによって立体的な箱状の容器となって、物品等を容易に収納、運搬することが出来るため種々の分野で使用されている。
【０００３】
ところが、従来のダンボール箱は、ダンボール板を折り線に沿って箱状に折り込み、接合端縁部同志を金属製のファスナーあるいは接着剤を用いて接合して組み立てるようにしているので、その組立作業、格納するための折畳み作業や分解作業が面倒である。また、ダンボール箱は、その底板に左右に分離する切目ができるので、その切目をガムテープ等で閉じる面倒な作業が必要である。さらに、切目にガムテープを貼って閉じた場合、平面的に折り畳むために貼られたガムテープを剥がすと、板材の表面も一緒に剥がされ見栄えが悪いものとなり、引越し等を業務として営む場合、繰り返し使用することが出来ない。
【０００４】
また、この段ボール箱は紙であるため、商品の搬入等を終えた後は一般に再使用されないのが現状である。すなわち、物品を収納して所定場所に搬送した後は、その段ボール箱は不要なため資源廃棄物として処理されるのが通常である。
【０００５】
そこで、上記段ボール箱と同様に、未使用状態では平面的に折り畳まれ、使用時には拡げて組み立てるように形成された組立式容器の側面部に連設された蓋片及び底片に、二つの部材が互いに係合することで合体する脱着自在な係止部材を取り付けることで、容易に組み立て、折り畳みが容易であると共に、一回の使用で廃棄せず、繰り返し使用可能とした容器が提案されている（特許文献１参照）。
【０００６】
【特許文献１】特開平１１−２９２０７３号公報
【考案の開示】
【考案が解決しようとする課題】
【０００７】
しかしながら、一回の使用で廃棄せず、繰り返し使用可能とした上記容器は、上蓋用板材または底蓋用板材に取り付けた面ファスナー同士の係合だけで上蓋及び底蓋を構成しているため、密閉性に劣り、上蓋または底蓋の面全体に面ファスナーを取り付けなければ、上蓋または底蓋を構成する板材の隙間から容器内の小さい物品等が抜け落ちてしまう恐れがある。また、上記容器では、容器内に重量の大きい物品を収容した場合にも、底蓋が抜けて容器内に収容した物品が落ちてしまう恐れを多分に有する強度的に劣るものである。
【０００８】
さらに、上記容器は偏平状に折畳み可能であるが、折り畳んだ後はそのままであってその容器の搬送については何ら考慮していないため、折り畳んだ状態の容器を搬送する際に、無闇に拡がってしまって搬送しづらいといった煩わしさがある。このような折り畳んだ後の容器の搬送時の拡がりは、強度の面から容器を構成する板材を、自身の重量が大きく、かつ、折り曲げ弾性の大きい合成樹脂材とした場合に顕著である。
【０００９】
本考案は、このような課題に対処しようとするため、未使用状態時には折り畳みが出来、使用時には容易に立体的な箱状の容器となり、さらにその容器の見栄えを悪くすることなく再使用を可能とすることが出来ることは勿論のこと、上蓋または底蓋の密閉性が高く、かつ、強度的に優れた組立式輸送箱を提供することを目的とする。
また、本考案は、平面的に折り畳んだ後であっても無闇に拡がらず、搬送し易くした組立式輸送箱を提供することを目的とするものでもある。
【課題を解決するための手段】
【００１０】
上記の目的を達成するため、本考案の一の観点にかかる組立式輸送箱は、複数の側面部を環状に連接することにより枠状体を形成し、かつ、その各側面部の上下にそれぞれ連設された蓋片及び底片を互いに対向する片同士一緒に枠状体の内側に向って折曲することにより立体的な箱状容器となると共に、上記蓋片及び底片を展開したまま隣接する何れか一方の側面部同士重なるように合わせることで平面的に折り畳まれる組立式の輸送箱であって、上記蓋片及び底片の外側面に、二つの部材が互いに係合することで合体する脱着自在な係止部材の何れか一方を取り付けると共に、上記蓋片及び底片の内側面に、上記係止部材の他方を取り付け、さらに、上記側面部の前記蓋片連接側端縁部または底片連接側端縁部に、上記蓋片または底片の外側面に取り付けた係止部材と同じ係止部材を取り付けた箱本体と、上記箱本体の蓋片または底片の外側面に取り付けた係止部材と係合可能な係止部材を帯状に形成した帯状係止部材とからなることを特徴とする。
【００１１】
この箱本体は、合成樹脂板やベニヤ板、金属板、厚紙等で構成されたものであり、係止部材は、いわゆる面ファスナーで構成されたものである。
また、側面部の蓋片連接側端縁部または底片連接側端縁部とは、蓋片または底片が連接された側面部との折曲境界部を挟んで両側の端縁部に沿う部分を言う。
【００１２】
これにより、最初に枠状体の内側に向って折曲された対向する蓋片または底片の外側面にそれぞれ設けられた係止部材と、次に枠状体の内側に向って折曲された対向する蓋片または底片の内側面にそれぞれ設けられた係止部材とが互いに係合し、上蓋または底蓋が容易に形成される。しかも、この上蓋または底蓋は、係止部材同士の係合が脱着自在であるので容易に解除することができるものである。
【００１３】
したがって、容易に立体的な箱状の容易を形成することが出来ると共に、容易に平面的に折り畳んで嵩張らばら無いものとすることが出来、しかも、蓋片同士または底片同士の密閉性が高まると共に、強度的に補強されたものとなり、容器内の小さい物品等が抜け落ちてしまったり、重量の大きい物品が落ちてしまったりといった恐れを無くすことが出来る。
【００１４】
また、側面部の蓋片連接側端縁部または底片連接側端縁部に、蓋片または底片の外側面に取り付けた係止部材と同じ係止部材を取り付け、これらの係止部材に互いに係合可能な係止部材を帯状に形成した帯状係止部材を互いに係合させることで、蓋片同士または底片同士の係合強度を補強することが出来る。
【００１５】
本考案では、前記係止部材は、蓋片または底片の端縁部に沿ってそれぞれ取り付けられていると良い。
これにより、蓋片または底片の重なり部全体に係止部材を取り付けなくても、効率良く蓋片または底片同士を係合することが出来る。
【００１６】
また、本考案では、帯状係止部材は、対向する蓋片または底片同士一緒に枠状体の内側に向って折曲した際、互いに隣接することとなる上記蓋片または底片の外側端縁部同士を一体的に係止するものや、隣接する一方の蓋片または底片の端縁部と、他方の蓋片または底片を連接する側面部の連接側端縁部とを一体的に係止するものとすることが出来る。
これにより、帯状係止部材によって蓋片同士または底片同士、もしくは蓋片または底片と側面部との係合強度をより一層高めることが出来る。
【００１７】
また、本考案では、帯状係止部材の一部が、前記箱本体に固着されているものとすると良い。ここで、箱本体とは、側面部の蓋片連接側端縁部または底片連接側端縁部に取り付けた係止部材もしくはその付近のことをいう。
これにより、帯状係止部材が無闇に無くならないように管理することが出来ると共に、必要な時にすぐに利用出来て非常に効率的なものとすることが出来る。
【００１８】
さらに、本考案では、箱本体を平面的に折り畳んだ際、重なるように合わさる一方の側面部に前記帯状係止部材の一端を固着し、他方の側面部に上記帯状係止部材の他端と係合可能な係止部材を取り付けるようにすると良い。
これにより、一方の側面部にその一端を固着した帯状係止部材と、他方の側面部に取り付けた互いに係合可能な係止部材との係合により、平面的に折り畳んだ箱本体が無闇に拡がらないものとすることが出来る。
【考案の効果】
【００１９】
本考案によれば、帯状係止部材により密閉性が高まると共に、強度的に補強されたものとなり、容器内の小さい物品等が抜け落ちてしまったり、重量の大きい物品が落ちてしまったりといった恐れを改善することができるものとなる。
また、本考案によれば、帯状係止部材により平面的に折り畳んだ後であっても無闇に拡がらず、搬送時に煩わしさを覚えることも無いものとすることが出来る。
しかも、未使用状態時には平面的に折り畳みが出来、使用時には容易に立体的な箱状の容器とすることが出来、さらに帯状係止部材を剥がしてもその容器の見栄えを悪くすることなく再使用を可能とすることが出来る。
【考案を実施するための最良の形態】
【００２０】
以下、本考案の一実施の形態として、側面部を４つ有する四角形状容器からなる組立式輸送箱の一例について、図面を参照して説明する。図１は、本考案の一実施の形態に係る組立式輸送箱の構造を示す説明図である。また、図２は、本考案の一実施の形態に係る組立式輸送箱の組み立て方を示す説明図である。
本考案の組立式輸送箱１は、箱本体１０と帯状係止部材７Ｂ及び／または８Ｂとにより構成されている。
【００２１】
箱本体１０は、４つの側面部２，３，４，５を環状に連接することにより枠状体を形成し、かつ、その各側面部２，３，４，５の上下に蓋片２１，３１，４１，５１及び底片２２，３２，４２，５２がそれぞれ連設されている。
この蓋片２１，３１，４１，５１及び底片２２，３２，４２，５２の外側面には、二つの部材が互いに係合することで合体する脱着自在な係止部材の何れか一方が取り付けられていると共に、当該蓋片及び底片の内側面には、当該係止部材の他方が取り付けられている。たとえば、蓋片２１の内側面の両側縁部には、凸型係止部材６Ｂ，６Ｂがそれぞれ取り付けられていると共に、その外側面の両側縁部には、凹型係止部材８Ａ，８Ａがそれぞれ取り付けられ、さらに、その外側面の外側端縁部には、凹型係止部材８Ａ，８Ａと同様の凹型係止部材７Ａが取り付けられている。また、底片２２の内側面の両側縁部には、凸型係止部材６Ｂ，６Ｂがそれぞれ取り付けられていると共に、その外側面の両側縁部には、凹型係止部材８Ａ，８Ａがそれぞれ取り付けられ、さらに、その外側面の外側端縁部には、同凹型係止部材７Ａが取り付けられている。
【００２２】
また、蓋片３１の外側面の蓋片連接側端縁部には、上記蓋片２１の内側面の両側縁部に取り付けた凸型係止部材６Ｂ，６Ｂと互いに係合可能な係止部材６Ａが当該端縁部に沿って取り付けられている。また、底片３２の場合も同様、上記底片３１の内側面の両側縁部に取り付けた凸型係止部材６Ｂ，６Ｂと互いに係合可能な係止部材６Ａが当該端縁部に沿って取り付けられている。
なお、これら係止部材６Ａ，６Ｂ，７Ａ，８Ａは、蓋片または底片の端縁部に沿ってそれぞれ取り付けられている。
【００２３】
側面部２における底片連接側端縁部には、後述する帯状係止部材７Ｂの先端部と互いに係合可能な係止部材９Ｂが取り付けられている。また、側面部３における蓋片連接側端縁部には、当該端縁部に沿って上記係止部材６Ａと同様の係止部材９Ａが取り付けられている。
【００２４】
また、側面部３には、隣接する側面部２に連設する蓋片２１外側面の外側端縁部に沿って取り付けられた凹型係止部材７Ａと係合可能な係止部材を帯状に形成した帯状係止部材７Ｂの基端部が、固着部６１に取り付けられている。
したがって、この帯状係止部材７Ｂは、対向する蓋片２１と４１，３１と５１または底片２２と４２，３２と５２同士一緒に枠状体の内側に向って折曲した際、その上側で互いに隣接することとなる蓋片２１，４１または底片２２，４２外側面に取り付けられた凹型係止部材７Ａ，７Ａと係合し、この外側端縁部同士を一体的に係止する。
【００２５】
また、側面部３には、隣接する側面部２，４の蓋片２１，４１の外側端縁部に取り付けられた凹型係止部材８Ａ，８Ａと係合すると共に、側面部３の蓋片３１を連接する連接側端縁部に沿って取り付けられた凹型係止部材８Ａ，８Ａと同様の凹型係止部材９Ａとに係合する帯状係止部材８Ｂの基端部が、固着部７１に取り付けられている。
したがって、この帯状係止部材８Ｂは、隣接する蓋片の端縁部と、側面部３の連接側端縁部とを一体的に係止する。
なお、この帯状係止部材８Ｂは、不使用時には側面部３の蓋片３１を連接する連接側端縁部に沿って取り付けられた凹型係止部材９Ａと、蓋片３１の連接側端縁部に沿って取り付けられた凹型係止部材６Ａとに一緒に被覆するように係合し、見栄え良く整頓して取り付けられている。
【００２６】
また、蓋片２１と対向する蓋片４１は、蓋片２１と同様に係止部材が設けられ、また、蓋片３１と対向する蓋片５１は、蓋片３１と同様に係止部材が設けられている。なお、本実施形態の場合、蓋片３１及び底片３２の内側面に、係止部材は何も取り付けられていない。
【００２７】
このように構成された組立式輸送箱１は、図２に示すようにして組み立てることが出来る。図２は、本考案の第一の実施の形態に係る組立式輸送箱の組み立て方を説明する工程図である。
まず、平面的に折り畳まれている組立式輸送箱１の箱本体１０を各側面部２，３，４，５がくっつかず枠状体となるように拡げる（図２（イ）参照）。
次いで、互いに対向する一組の側面部３，５に連設された蓋片３１，５１を、一緒に枠状体の内側に向って折曲する（図２（ロ）参照）。
【００２８】
引き続き、残りの互いに対向する一組の側面部２，４に連設された蓋片２１，４１を、一緒に枠状体の内側に向って折曲する（図２（ハ）参照）。
次いで、側面部３に取り付けられている帯状係止部材８Ｂを、後から折曲した蓋片２１，４１外側面の両側縁部に取り付けた凹型係止部材８Ａ，８Ａ、及び当該側面部３の蓋片３１を連接する連接側端縁部に沿って取り付けられた凹型係止部材９Ａを一緒に被覆するように係合する（図２（ニ）参照）。また、側面部５に取り付けられている帯状係止部材８Ｂも、同様にして蓋片２１，４１外側面の両側縁部に取り付けた凹型係止部材８Ａ，８Ａ、及び当該側面部５の蓋片５１を連接する連接側端縁部に沿って取り付けられた凹型係止部材９Ａを一緒に被覆するように係合する（図２（ホ）参照）。
【００２９】
また、側面部３に取り付けられている帯状係止部材７Ｂを、後から折曲した蓋片２１，４１外側面の外側端縁部に沿ってそれぞれ取り付けられている凹型係止部材７Ａ，７Ａを跨ぐように一緒に被覆して係合する（図２（へ）参照）。
その後、箱本体１０をひっくり返し（図２（ト）参照）、中に搬送する物品を入れた後、上述した蓋片２１，３１，４１，５１と同様の手順に手にて、底片２２，３２，４２，５２も組み立てる（図３参照）。
【００３０】
このようにして組み立てられた組立式輸送箱１は、上記組み立て方と逆の手順により展開し、蓋片２１，３１，４１，５１及び底片２２，３２，４２，５２を展開したまま隣接する何れか一方の側面部同士２と５，３と４が重なるように合わせることで平面的に折り畳まれる。
そして、箱本体１０を平面的に折り畳んだ際、重なるように合わさる一方の側面部３または５に前記帯状係止部材７Ｂの一端を固着し、他方の側面部４または２に上記帯状係止部材７Ｂの他端と係合可能な凹型係止部材９Ｂを取り付け、当該帯状係止部材７Ｂの他端と凹型係止部材９Ｂとを互いに係合させることで、平面的に折り畳んだ箱本体が無闇に拡がらないようにすることができる（図４参照）。
【００３１】
以上のように、本考案の組立式輸送箱は、引越荷物等の輸送が終われば空にして折り畳み、繰り返し使用することができる。
【図面の簡単な説明】
【００３２】
【図１】本考案の第一の実施の形態に係る組立式輸送箱の構造を示す説明図である。
【図２】（イ）乃至（ト）本考案の第一の実施の形態に係る組立式輸送箱の組み立て方を説明する工程図である。
【図３】本考案の第一の実施の形態に係る組立式輸送箱の組立後の状態を示す斜視図である。
【図４】（イ）及び（ロ）本考案の第一の実施の形態に係る組立式輸送箱の平面的に折畳んだ状態を示す説明図である。
【符号の説明】
【００３３】
１・・・組立式輸送箱
２，３，４，５・・・側面部
６Ａ，６Ｂ，７Ａ，８Ａ，９Ａ，９Ｂ・・・係止部材
７Ｂ，８Ｂ・・・帯状係止部材
１０・・・箱本体  
２１，３１，４１，５１・・・蓋片
２２，３２，４２，５２・・・底片
６１，７１・・・固着部
【図１】
0003107341.tif 000003
【図２】
0003107341.tif 000004
【図３】
0003107341.tif 000005
【図４】
0003107341.tif 000006